(57)【要約】【課題】情報処理負担を軽減しつつタイムシフト再生中における放送の受信不能状態に応じてタイムシフト再生からリアルタイム再生にすみやかに切り替えることができる「移動体用放送受信装置」を提供すること。【解決手段】タイムシフト再生中における放送の受信不能状態が、タイムシフト時間との関係において所定の条件を満足するようになった場合には、制御手段５によるタイムシフト再生処理手段５およびリアルタイム再生処理手段５の制御によって、タイムシフト再生を終了してリアルタイム再生に切り替えること。【選択図】図１
2010068181.tif 000002
【特許請求の範囲】
【請求項１】
移動体に搭載され、
放送を受信する受信手段と、
この受信手段によって受信された放送を記憶部に逐次記録する記録手段と、
前記受信された放送の放送内容を当該放送の受信後即時に再生するリアルタイム再生を行うことが可能とされたリアルタイム再生処理手段と、
前記記録手段によって記録された放送を用いることによって、前記受信された放送の放送内容を当該放送の受信時から所定のタイムシフト時間だけ遅延させて再生するタイムシフト再生を行うことが可能とされたタイムシフト再生処理手段と、
このタイムシフト再生処理手段による前記タイムシフト再生中における放送の受信不能状態が、前記タイムシフト時間との関係において所定の条件を満足するようになった場合には、前記タイムシフト再生から前記リアルタイム再生への切り替えを行うように前記タイムシフト再生処理手段および前記リアルタイム再生処理手段を制御可能とされた制御手段と
を備えたことを特徴とする移動体用放送受信装置。
【請求項２】
前記所定の条件は、前記タイムシフト時間に対する放送の受信不能時間の合計値の割合が所定の閾値を超えることであること
を特徴とする請求項１に記載の移動体用放送受信装置。
【請求項３】
前記所定の条件は、前記タイムシフト時間あたりの放送の受信可能状態から受信不能状態への切り替えの回数が所定の閾値を超え、かつ、前記タイムシフト時間に対する放送の受信不能時間の合計値の割合が所定の閾値を超えることであること
を特徴とする請求項１に記載の移動体用放送受信装置。
【請求項４】
前記所定の条件は、前記タイムシフト時間に対する放送の連続受信不能時間の割合が所定の閾値を超えることであること
を特徴とする請求項１に記載の移動体用放送受信装置。
【請求項５】
前記タイムシフト再生処理手段による前記タイムシフト再生中における放送の受信不能状態が、前記タイムシフト時間との関係において所定の条件を満足するようになった場合に、前記リアルタイム再生への切り替えを行うか否かの問い合わせをユーザが応答可能な状態として出力する問い合わせ出力手段を備え、
前記制御手段は、前記問い合わせ出力手段によって出力された問い合わせに対する前記リアルタイム再生への切り替えを行う旨の応答を待って、前記リアルタイム再生への切り替えを行うように前記タイムシフト再生処理手段および前記リアルタイム再生処理手段を制御するように形成されていること
を特徴とする請求項１乃至請求項４のいずれか１項に記載の移動体用放送受信装置。
【請求項６】
前記タイムシフト再生処理手段による前記タイムシフト再生中における放送の受信不能状態が、前記所定の条件として、前記タイムシフト時間に対する放送の連続受信不能時間の割合が所定の閾値を超えることを満足するようになった場合に、前記リアルタイム再生への切り替えを行うか否かの問い合わせをユーザが応答可能な状態として出力する問い合わせ出力手段を備え、
前記制御手段は、前記問い合わせ出力手段によって出力された前記リアルタイム再生への切り替えの有無の問い合わせに対する前記リアルタイム再生への切り替えを行う旨の応答を待って、前記リアルタイム再生への切り替えを行うように前記タイムシフト再生処理手段および前記リアルタイム再生処理手段を制御するように形成され、
前記所定の条件を満足するようになった時点から前記タイムシフト時間分遡った時点までの間の時間帯は、前記連続受信不能時間と、この連続受信不能時間に後続する受信可能時間とによって構成されており、
前記問い合わせ手段は、前記リアルタイム再生への切り替えが行われた時点から前記連続受信不能時間と同一の時間が経過した時点において、前記タイムシフト再生への切り替えを行うか否かの問い合わせをユーザが応答可能な状態として出力するように形成され、
前記制御手段は、前記問い合わせ出力手段によって出力された前記タイムシフト再生への切り替えの有無の問い合わせに対する前記タイムシフト再生への切り替えを行う旨の応答を待って、前記タイムシフト再生への切り替えを行うように前記タイムシフト再生処理手段および前記リアルタイム再生処理手段を制御するように形成されていること
を特徴とする請求項４に記載の移動体用放送受信装置。
【発明の詳細な説明】
【技術分野】
【０００１】
本発明は、移動体用放送受信装置に係り、特に、タイムシフト再生の機能を備えた移動体用放送受信装置に関する。
【背景技術】
【０００２】
従来から、車両等の移動体には、テレビチューナやラジオチューナを搭載することによって、地上デジタルテレビ放送やラジオ放送（例えば、ＤＡＢ：Digital Audio Broadcast）等の放送を受信して再生する放送受信装置が採用されていた。
【０００３】
このような放送受信装置の中には、いわゆるタイムシフト再生（追っかけ再生）が可能とされた機種もあった。
【０００４】
ここで、このようなタイムシフト再生を行うことが可能とされた機種においては、放送内容（例えば、テレビ番組等）をリアルタイムで記録（録画、録音）しながら、記録された放送内容を、放送の受信時から所定のタイムシフト時間だけ遅延させて再生することが可能とされていた。
【０００５】
そして、このようなタイムシフト再生の機能を車載用の放送受信装置に搭載した場合には、例えば、車両の走行中にはテレビ放送を視聴することができない運転席のユーザが、走行中に記録されたテレビ放送の放送内容を停車中に視聴することが可能であった。
【０００６】
しかし、このようなタイムシフト再生を行う場合であっても、いつまでもリアルタイム放送から放送内容が遅延したままでは、ユーザに提供される情報の新鮮さが損なわれ続けることになる。
【０００７】
そこで、これまでにも、この種のタイムシフト再生を行うことが可能とされた放送受信装置においては、タイムシフト再生から、放送内容を受信後即時に再生するリアルタイム再生へと復帰するための種々の提案がなされていた。
【０００８】
例えば、特許文献１においては、受信状態が変化しやすい車載用の放送受信装置であることを利用して、図７に示すように、車両の走行中は、映像（番組）を録画し、録画された映像のうちの受信状態が悪い部分（図７における受信不能状態の部分）を除去して残りの適正な映像を結合してタイムシフト再生に用いることによって、タイムシフト再生とリアルタイム放送との時間差を短縮する技術が提案されていた。なお、図７においては、タイムシフト時間が当初の２分から１５秒に短縮されている。
【０００９】
この他にも、例えば、受信状態が悪い部分を早送りすることによって、タイムシフト再生とリアルタイム放送との時間差を短縮する技術も提案されていた。
【００１０】
【特許文献１】特開２００３−２４４５９１号公報
【発明の開示】
【発明が解決しようとする課題】
【００１１】
しかしながら、従来は、リアルタイムで放送内容を記録しながら、放送の受信状態を監視して映像や音声の編集処理や早送り処理等の並行処理を行わなければならなかったため、情報処理負担が過大となるといった問題が生じていた。
【００１２】
そこで、本発明は、このような問題に鑑みなされたものであり、情報処理負担を軽減しつつタイムシフト再生中における放送の受信不能状態に応じてタイムシフト再生からリアルタイム再生への切り替えをすみやかに行うことができる移動体用放送受信装置を提供することを目的とするものである。
【課題を解決するための手段】
【００１３】
前述した目的を達成するため、本発明に係る移動体用放送受信装置は、移動体に搭載され、放送を受信する受信手段と、この受信手段によって受信された放送を記憶部に逐次記録する記録手段と、前記受信された放送の放送内容を当該放送の受信後即時に再生するリアルタイム再生を行うことが可能とされたリアルタイム再生処理手段と、前記記録手段によって記録された放送を用いることによって、前記受信された放送の放送内容を当該放送の受信時から所定のタイムシフト時間だけ遅延させて再生するタイムシフト再生を行うことが可能とされたタイムシフト再生処理手段と、このタイムシフト再生処理手段による前記タイムシフト再生中における放送の受信不能状態が、前記タイムシフト時間との関係において所定の条件を満足するようになった場合には、前記タイムシフト再生から前記リアルタイム再生への切り替えを行うように前記タイムシフト再生処理手段および前記リアルタイム再生処理手段を制御可能とされた制御手段とを備えたことを特徴としている。
【００１４】
そして、このような構成によれば、タイムシフト再生中における放送の受信不能状態が、タイムシフト時間との関係において所定の条件を満足するようになった場合には、制御手段の制御によって、タイムシフト再生を終了してリアルタイム再生に切り替えることができるので、映像・音声の編集処理や早送り処理を要することなく、受信不能状態に応じた好適なタイミングでタイムシフト再生からリアルタイム放送への切り替えを行うことができる。
【００１５】
また、前記所定の条件は、前記タイムシフト時間に対する放送の受信不能時間の合計値の割合が所定の閾値を超えることであってもよい。
【００１６】
そして、このような構成によれば、タイムシフト時間に対する放送の受信不能時間の合計値の割合が所定の閾値を超えた場合に、タイムシフト再生からリアルタイム再生への切り替えを行うことができるので、適切に受信されて記録された放送を視聴する機会を逸してしまうといったユーザのデメリットを可及的に少なくすることができるより好適なタイミングでタイムシフト再生からリアルタイム再生への切り替えを行うことができる。
【００１７】
さらに、前記所定の条件は、前記タイムシフト時間あたりの放送の受信可能状態から受信不能状態への切り替えの回数が所定の閾値を超え、かつ、前記タイムシフト時間に対する放送の受信不能時間の合計値の割合が所定の閾値を超えることであってもよい。
【００１８】
そして、このような構成によれば、タイムシフト時間あたりの放送の受信可能状態から受信不能状態への切り替えの回数が所定の閾値を超え、かつ、タイムシフト時間に対する放送の受信不能時間の合計値の割合が所定の閾値を超えた場合に、タイムシフト再生からリアルタイム再生への切り替えを行うことができるので、適切に受信されて記録された放送を視聴する機会を逸してしまうといったユーザのデメリットが少ないより好適なタイミングでタイムシフト再生からリアルタイム再生への切り替えを行うことができる。
【００１９】
さらにまた、前記所定の条件は、前記タイムシフト時間に対する放送の連続受信不能時間の割合が所定の閾値を超えることであってもよい。
【００２０】
そして、このような構成によれば、タイムシフト時間に対する放送の連続受信不能時間の割合が所定の閾値を超えた場合に、タイムシフト再生からリアルタイム再生への切り替えを行うことができるので、適切に受信されて記録された放送を視聴する機会を逸してしまうといったユーザのデメリットが少ないより好適なタイミングでタイムシフト再生からリアルタイム再生への切り替えを行うことができる。
【００２１】
また、前記タイムシフト再生処理手段による前記タイムシフト再生中における放送の受信不能状態が、前記タイムシフト時間との関係において所定の条件を満足するようになった場合に、前記リアルタイム再生への切り替えを行うか否かの問い合わせをユーザが応答可能な状態として出力する問い合わせ出力手段を備え、前記制御手段は、前記問い合わせ出力手段によって出力された問い合わせに対する前記リアルタイム再生への切り替えを行う旨の応答を待って、前記リアルタイム再生への切り替えを行うように前記タイムシフト再生処理手段および前記リアルタイム再生処理手段を制御するように形成されていてもよい。
【００２２】
そして、このような構成によれば、タイムシフト再生からリアルタイム再生への切り替えに好適なタイミングとなった場合に、問い合わせに対する応答を待ってリアルタイム再生への切り替えを行うことができるので、ユーザの意図を反映した再生を行うことができる。
【００２３】
さらに、前記タイムシフト再生処理手段による前記タイムシフト再生中における放送の受信不能状態が、前記所定の条件として、前記タイムシフト時間に対する放送の連続受信不能時間の割合が所定の閾値を超えることを満足するようになった場合に、前記リアルタイム再生への切り替えを行うか否かの問い合わせをユーザが応答可能な状態として出力する問い合わせ出力手段を備え、前記制御手段は、前記問い合わせ出力手段によって出力された前記リアルタイム再生への切り替えの有無の問い合わせに対する前記リアルタイム再生への切り替えを行う旨の応答を待って、前記リアルタイム再生への切り替えを行うように前記タイムシフト再生処理手段および前記リアルタイム再生処理手段を制御するように形成され、前記所定の条件を満足するようになった時点から前記タイムシフト時間分遡った時点までの間の時間帯は、前記連続受信不能時間と、この連続受信不能時間に後続する受信可能時間とによって構成されており、前記問い合わせ手段は、前記リアルタイム再生への切り替えが行われた時点から前記連続受信不能時間と同一の時間が経過した時点において、前記タイムシフト再生への切り替えを行うか否かの問い合わせをユーザが応答可能な状態として出力するように形成され、前記制御手段は、前記問い合わせ出力手段によって出力された前記タイムシフト再生への切り替えの有無の問い合わせに対する前記タイムシフト再生への切り替えを行う旨の応答を待って、前記タイムシフト再生への切り替えを行うように前記タイムシフト再生処理手段および前記リアルタイム再生処理手段を制御するように形成されていてもよい。
【００２４】
そして、このような構成によれば、タイムシフト再生からリアルタイム再生への切り替えに好適なタイミングとなった場合に、問い合わせに対する応答を待ってリアルタイム再生への切り替えを行うことができるので、ユーザの意図を反映した再生を行うことができる。また、リアルタイム再生への切り替え後、連続受信不能時間と同一の時間が経過した時点においてタイムシフト再生に切り替えを行えば、リアルタイム再生への切り替えによって再生することができなかった前記受信可能時間の放送内容をタイムシフト再生によって再生することができ、適切に受信されて記録された放送を視聴する機会を逸してしまうといったユーザのデメリットを解消することができる。
【発明の効果】
【００２５】
本発明によれば、情報処理負担を軽減しつつタイムシフト再生中における放送の受信不能状態に応じてタイムシフト再生からリアルタイム再生への切り替えをすみやかに行うことができる。
【発明を実施するための最良の形態】
【００２６】
以下、本発明に係る移動体用放送受信装置の一例としての車両に搭載された車載用デジタル放送受信装置の実施形態について、図１乃至図６を参照して説明する。
【００２７】
図１に示すように、本実施形態における車載用デジタル放送受信装置１は、受信手段としてのチューナ２を有しており、このチューナ２には、アンテナ３が接続されている。
【００２８】
チューナ２は、アンテナ３を介して地上デジタルテレビ放送（以下、単に、テレビ放送と称する）の電波を受信可能とされており、受信したテレビ放送の電波から、ユーザの所望のチャンネルに合致した受信周波数の放送信号を抽出し、抽出した放送信号を後段に出力するようになっている。
【００２９】
また、チューナ２には、ＣＰＵ５が接続されており、このＣＰＵ５には、入力操作部６が接続されている。ＣＰＵ５は、入力操作部６の操作によってユーザが指定したチャンネルの放送信号を抽出するようにチューナ２を制御するようになっている。
【００３０】
さらに、チューナ２の後段には、ＯＦＤＭ復調器７が接続されており、このＯＦＤＭ復調器７には、チューナ２から出力された放送信号が入力されるようになっている。
【００３１】
そして、ＯＦＤＭ復調器７は、入力された放送信号に対して、アナログ−デジタル（Ａ／Ｄ）変換処理、ＯＦＤＭ（Orthogonal Frequency Division Multiplexing）復調処理および誤り訂正処理の各処理を行ってトランスポートストリーム（ＴＳ）を取得し、取得されたトランスポートストリームを後段に出力するようになっている。
【００３２】
ＯＦＤＭ復調器７の後段には、ＴＳデコーダ８が接続されており、このＴＳデコーダ８には、ＯＦＤＭ復調器７から出力されたトランスポートストリームが入力されるようになっている。
【００３３】
そして、ＴＳデコーダ８は、入力されたトランスポートストリームから映像データと音声データとを抽出し、抽出された映像データおよび音声データを後段に出力可能とされている。
【００３４】
ＴＳデコーダ８の後段には、ＭＰＥＧデコーダ１０が接続されており、このＭＰＥＧデコーダ１０には、ＴＳデコーダ８から出力された映像データおよび音声データが入力されるようになっている。
【００３５】
そして、ＭＰＥＧデコーダ１０は、入力された映像データおよび音声データのＭＰＥＧ圧縮を解除し、圧縮が解除された映像データおよび音声データを後段に出力するようになっている。
【００３６】
ＭＰＥＧデコーダ１０の後段には、映像ＤＡＣ１１および音声ＤＡＣ１２がそれぞれ接続されており、映像ＤＡＣ１１には、ＭＰＥＧデコーダ１０から出力された映像データが、音声ＤＡＣ１２には、ＭＰＥＧデコーダ１０から出力された音声データが、それぞれ入力されるようになっている。
【００３７】
映像ＤＡＣ１１は、ＭＰＥＧデコーダ１０側から入力された映像データに対してデジタル−アナログ（Ｄ／Ａ）変換処理を行い、Ｄ／Ａ変換処理後の映像データを後段に出力するようになっている。
【００３８】
音声ＤＡＣ１２は、ＭＰＥＧデコーダ１０側から入力された音声データに対してＤ／Ａ変換処理を行い、Ｄ／Ａ変換処理後の音声データを後段に出力するようになっている。
【００３９】
映像ＤＡＣ１１の後段には、液晶ディスプレイ等のディスプレイ１４が接続されており、このディスプレイ１４には、映像ＤＡＣ１１から出力された映像データに対応する映像が表示されるようになっている。
【００４０】
音声ＤＡＣ１２の後段には、スピーカ１５が接続されており、このスピーカ１５は、音声ＤＡＣ１２から出力された音声データに対応する音声を出力するようになっている。
【００４１】
また、本実施形態において、ＣＰＵ５は、ＴＳデコーダ８と接続されているとともに、リアルタイム再生処理手段として機能するようになっている。
【００４２】
すなわち、ＣＰＵ５は、テレビ放送を再生する際に、入力操作部６によって後述するタイムシフト再生の実行が指示されていない場合には、ＴＳデコーダ８に、トランスポートストリームから抽出された最新の映像データと音声データとをそのままＭＰＥＧデコーダ１０へと出力させるようになっている。
【００４３】
これにより、車載用デジタル放送受信装置１は、チューナ２によって受信されたテレビ放送の放送内容を受信後即時に再生（映像表示および音声出力）するリアルタイム再生を行うことが可能とされている。
【００４４】
さらに、本実施形態において、ＴＳデコーダ８には、記憶部としてのハードディスクドライブ（ＨＤＤ）１７が接続されている。
【００４５】
そして、本実施形態において、ＣＰＵ５は、記録手段としても機能し、ＴＳデコーダ８に対する制御により、ＴＳデコーダ８によって抽出された映像データおよび音声データをハードディスクドライブ１７に逐次格納させることによって、チューナ２が受信したテレビ放送をハードディスクドライブ１７に逐次記録するようになっている。
【００４６】
さらに、本実施形態において、ＣＰＵ５は、タイムシフト再生処理手段としても機能するようになっている。
【００４７】
すなわち、ＣＰＵ５は、入力操作部６の操作によってユーザがタイムシフト再生を指示した場合には、ＴＳデコーダ８に対する制御により、ＴＳデコーダ８によって抽出された最新の映像データおよび音声データの代わりに、これらのデータよりも予め設定された所定（本実施形態においては一定）のタイムシフト時間だけ前に受信されてハードディスクドライブ１７に記録された映像データおよび音声データを、ハードディスクドライブ１７から取得してＭＰＥＧデコーダ１０に向かって出力させるようになっている。
【００４８】
これにより、車載用デジタル放送受信装置１は、ハードディスクドライブ１７に記録された放送を用いることによって、受信されたテレビ放送の放送内容をテレビ放送の受信時から所定（一定）のタイムシフト時間だけ遅延させて再生するタイムシフト再生を行うことが可能とされている。
【００４９】
さらに、本実施形態においては、ＣＰＵ５とＯＦＤＭ復調器７とが互いに接続されており、ＣＰＵ５は、ＯＦＤＭ復調器７による誤り訂正処理の結果に基づいて、テレビ放送の受信状態が、適切な受信がなされているとみなせる状態である受信可能状態であるか、または、適切な受信がなされていないとみなせる状態である受信不能状態であるかを判定する受信状態判定を行うようになっている。このとき、ＣＰＵ５は、誤り訂正処理によって算出された誤り訂正率が閾値以下の場合には、受信可能状態であると判定し、誤り訂正率が閾値を超える場合には、受信不能状態であると判定するようにしてもよい。
【００５０】
さらにまた、ＣＰＵ５は、タイムシフト再生中における受信状態判定の判定結果に基づいて、タイムシフト再生中における放送の受信不能状態が、タイムシフト時間との関係において所定の条件（以下、切り替え条件と称する）を満足するようになったか否か、すなわち、タイムシフト再生からリアルタイム再生への切り替えに好適なタイミングとなったか否かを判定する切り替え時期判定を行うようになっている。
【００５１】
そして、本実施形態において、ＣＰＵ５は、映像ＤＡＣ１１と接続されているとともに、問い合わせ手段として機能するようになっている。
【００５２】
すなわち、ＣＰＵ５は、切り替え時期判定の結果、切り替え条件が満足されるようになった場合には、タイムシフト再生からリアルタイム再生への切り替えを行うか否かの問い合わせをユーザが応答可能な状態として出力するようになっている。具体的には、ＣＰＵ５は、タイムシフト再生からリアルタイム再生へと切り替えるか否かを問い合わせる文字情報と、切り替えの有無を選択（応答）する操作ボタンとをディスプレイ１４に表示するようにしてもよい。
【００５３】
なお、ＣＰＵ５が音声出力によって問い合わせを行うように形成するとともに、この問い合わせに対する応答を音声入力によって行うことが可能に形成してもよい。
【００５４】
さらに、本実施形態において、ＣＰＵ５は、制御手段としても機能し、切り替えの有無の問い合わせに対して入力操作部６を通じて切り替えを行う旨の応答が入力された場合には、自らのタイムシフト再生処理手段およびリアルタイム再生処理手段としての機能を制御することによって、タイムシフト再生を終了してリアルタイム再生へと切り替えるようになっている。
【００５５】
ここで、図２は、ＣＰＵ５による切り替え時期判定の第１の例を説明するためのタイムチャートである。この第１の例においては、切り替え条件が、図２に示すように、タイムシフト時間Ｔに対するテレビ放送の受信不能時間ｔ１、ｔ２、ｔ３およびｔ４（すなわち、受信不能状態の継続時間）の合計値ｔ１＋ｔ２＋ｔ３＋ｔ４の割合（百分率）｛（ｔ１＋ｔ２＋ｔ３＋ｔ４）／Ｔ｝×１００が所定の閾値（図２において８０％）を超えることとされている。そして、この第１の例においては、図２に示すように、切り替え条件が満足されるようになった場合には、前記問い合わせに対する応答を待って、タイムシフト再生からリアルタイム再生への切り替えを行うようになっている。ただし、図２においては、切り替え条件が満足されるようになった時点から応答が行われる時点までは極めて短い時間であるものとみなして、切り替え条件が満足されるようになった時点とリアルタイム再生への切り替えが行われる時点とを同一と扱っている。また、図２においては、放送局からリアルタイムに送信される放送（図２におけるリアルタイム放送）の受信時点から当該放送の再生（リアルタイム再生）時点までの時間が極めて短い時間であるとみなして、リアルタイム放送の受信タイミングとリアルタイム再生のタイミングとを同時と扱っている。
【００５６】
また、図３は、ＣＰＵ５による切り替え時期判定の第２の例を説明するためのタイムチャートである。この第２の例においては、切り替え条件が、図３に示すように、タイムシフト時間Ｔあたりのテレビ放送の受信可能状態から受信不能状態への切り替えの回数が所定の閾値（例えば、５回）を超え、かつ、タイムシフト時間Ｔに対するテレビ放送の受信不能時間ｔ１、ｔ２、ｔ３、ｔ４、ｔ５、ｔ６およびｔ７の合計値ｔ１＋ｔ２＋ｔ３＋ｔ４＋ｔ５＋ｔ６＋ｔ７の割合（百分率）｛（ｔ１＋ｔ２＋ｔ３＋ｔ４＋ｔ５＋ｔ６＋ｔ７）／Ｔ｝×１００が所定の閾値（図３において６０％）を超えることとされている。そして、この第２の例においても、切り替え条件が満足されるようになった場合には、前記問い合わせに対する応答を待って、タイムシフト再生からリアルタイム再生への切り替えを行うようになっている。ただし、図３においても、図２と同様の理由により、切り替え条件が満足されるようになった時点とリアルタイム再生への切り替えが行われる時点とを同一と扱っており、また、リアルタイム放送の受信タイミングとリアルタイム再生のタイミングとを同時と扱っている。
【００５７】
さらに、図４は、ＣＰＵ５による切り替え時期判定の第３の例を説明するためのタイムチャートである。この第３の例においては、切り替え条件が、図４に示すように、タイムシフト時間Ｔに対するテレビ放送の連続受信不能時間ｔの割合（百分率）（ｔ／Ｔ）×１００が所定の閾値（図４において９０％）を超えることとされている。そして、この第３の例においても、図４に示すように、切り替え条件が満足されるようになった場合には、前記問い合わせに対する応答を待って、タイムシフト再生からリアルタイム再生への切り替えを行うようになっている。ただし、図４においても、図２、図３と同様の理由により、切り替え条件が満足されるようになった時点とリアルタイム再生への切り替えが行われる時点とを同一と扱っており、また、リアルタイム放送の受信タイミングとリアルタイム再生のタイミングとを同時と扱っている。
【００５８】
また、図２〜図４には、いずれも、テレビ放送の受信状態が受信可能状態から受信不能状態へと切り替わった時点を切り替え時期判定の基準時点として、この基準時点からＴ秒（タイムシフト時間）後に切り替え時期判定を行うようなタイムチャートが示されているが、この基準時点は、タイムシフト再生中における経時にともなって逐次連続的に発生しているものである。換言すれば、ＣＰＵ５は、タイムシフト再生中において、切り替え時期判定を、現在時刻のＴ秒前の基準時点（ただし、タイムシフト再生中の時点）を基準として連続的に行うようになっている。
【００５９】
したがって、本実施形態によれば、従来のような映像・音声の編集処理や早送り処理を要することなく、受信不能状態に応じた好適なタイミングでタイムシフト再生からリアルタイム放送への切り替えを行うことができる。
【００６０】
また、第１〜第３の例によれば、ハードディスクドライブ１７に記録された映像データおよび音声データのうち、切り替え条件が満足されるようになった時点直前の単位タイムシフト時間分の映像データおよび音声データは、当該時点以降はタイムシフト再生が行われないためタイムシフト再生に用いられないことになる。しかしながら、このような単位タイムシフト時間分の映像データおよび音声データを犠牲（使用しない）にしたとしても、これらの映像データおよび音声データは映像・音声の途切れが多く適切に再生される部分が少ないため、適切に受信されて記録されたテレビ放送を視聴する機会を逸してしまうといったユーザのデメリットは少なくて済む。
【００６１】
次に、本実施形態の作用の一例について説明する。
【００６２】
なお、初期状態においては、リアルタイム再生が行われているとともに、ＣＰＵ５による受信状態判定が行われているものとする。
【００６３】
そして、初期状態から、まず、図５のステップ１（ＳＴ１）に示すように、ユーザによる入力操作部６を用いたタイムシフト再生の実行の指令にしたがって、ＣＰＵ５によるＴＳデコーダ８に対する制御の下で、タイムシフト再生を開始する。これにより、タイムシフト再生からリアルタイム再生への切り替えのための処理が開始される。
【００６４】
次いで、ステップ２（ＳＴ２）においては、ＣＰＵ５により、受信状態判定の判定結果に基づいて、切り替え時期判定として、タイムシフト時間に対するテレビ放送の連続受信不能時間の割合が所定の閾値を超えるか否かを判定し、超える場合には、ステップ３（ＳＴ３）に進み、超えない場合には、ステップ５（ＳＴ５）に進む。
【００６５】
なお、このステップ２（ＳＴ２）における判定は、図４に示した切り替え時期判定の第３の例である。また、このステップ２（ＳＴ２）における判定は、前述したタイムシフト再生中において逐次発生する各基準時点からそれぞれＴ秒（タイムシフト時間）が経過した各時点（ただし、タイムシフト再生中の時点）ごとに逐次行う。
【００６６】
ステップ３（ＳＴ３）においては、ＣＰＵ５により、リアルタイム再生への切り替えを行うか否かの問い合わせを出力するとともに、この問い合わせに対するユーザからの応答が、リアルタイム再生への切り替えを行う旨の応答であるか否かを判定する。
【００６７】
そして、この判定の結果、ユーザからの応答が、リアルタイム再生への切り替えを行う旨の応答である場合には、ステップ４（ＳＴ４）に進み、リアルタイム再生への切り替えを行わない旨の応答である場合には、ステップ５（ＳＴ５）に進む。
【００６８】
ステップ４（ＳＴ４）においては、ＣＰＵ５によるＴＳデコーダ８の制御により、リアルタイム再生への切り替えを行って処理を終了する。
【００６９】
一方、ステップ５（ＳＴ５）においては、引き続きタイムシフト再生を行って処理を終了する。
【００７０】
以上述べたように、本実施形態によれば、タイムシフト再生中における放送の受信不能状態が、タイムシフト時間との関係において所定の条件を満足するようになった場合には、ＣＰＵ５の制御によってリアルタイム再生への切り替えを行うことができるので、映像・音声の編集処理や早送り処理を要することなく、受信不能状態に応じた好適なタイミングでタイムシフト再生からリアルタイム放送への切り替えを行うことができる。
【００７１】
この結果、情報処理負担を軽減しつつタイムシフト再生中における放送の受信不能状態に応じてタイムシフト再生からリアルタイム再生にすみやかに切り替えることができる。
【００７２】
なお、本発明は、前述した実施の形態に限定されるものではなく、必要に応じて種々の変更が可能である。
【００７３】
例えば、図４に示したような切り替え時期判定の第３の例を採用する場合には、切り替え条件を満足するようになった時点からタイムシフト時間Ｔ分遡った時点までの間の時間帯は、連続受信不能時間ｔと、この連続受信不能時間ｔに後続する受信可能時間Ｔ−ｔとによって構成されることになる。
【００７４】
そして、このような場合には、リアルタイム再生への切り替えによって、受信可能時間Ｔ−ｔの時間帯のリアルタイムの放送内容をタイムシフト再生において視聴することができなくなる。
【００７５】
そこで、このような受信可能時間Ｔ−ｔの時間帯のリアルタイムの放送内容をタイムシフト再生において視聴可能とするために、例えば、図６に示すように、リアルタイム再生への切り替えが行われた時点（図４、６においては、切り替え条件を満足するようになった時点Ｐ１と同一）から連続受信不能時間ｔと同一の時間ｔが経過した時点Ｐ２において、リアルタイム再生からタイムシフト再生への切り替えを行うか否かの問い合わせをユーザが応答可能な状態として出力するようにしてもよい。
【００７６】
この問い合わせは、問い合わせ手段としてのＣＰＵ５によって行うようにすればよい。
【００７７】
そして、制御手段としてのＣＰＵ５は、図６に示すように、リアルタイム再生からタイムシフト再生への切り替えの有無の問い合わせに対するタイムシフト再生への切り替えを行う旨の応答を待って、タイムシフト再生への切り替えを行うようにすればよい。このようにすれば、図６における破線枠で囲まれた受信可能時間Ｔ−ｔの時間帯のリアルタイムの放送内容を、タイムシフト再生によって視聴することができ、適切に受信されて記録されたテレビ放送を視聴する機会を逸してしまうといったユーザのデメリットを解消することができる。なお、このように、リアルタイム再生からタイムシフト放送へと切り替えを行った場合には、それ以降、再びリアルタイム再生へと復帰するために、ＣＰＵ５による前述した切り替え時期判定を行うようにすればよい。
【００７８】
また、本発明は、テレビ放送以外の放送に適用してもよいし、さらに、車両以外の移動体（例えば、携帯電話機）に適用してもよいことは勿論である。
【図面の簡単な説明】
【００７９】
【図１】本発明に係る移動体用放送受信装置の実施形態を示すブロック図
【図２】本発明に係る移動体用放送受信装置の実施形態において、切り替え時期判定の第１の例を説明するためのタイムチャート
【図３】本発明に係る移動体用放送受信装置の実施形態において、切り替え時期判定の第２の例を説明するためのタイムチャート
【図４】本発明に係る移動体用放送受信装置の実施形態において、切り替え時期判定の第３の例を説明するためのタイムチャート
【図５】本発明に係る移動体用放送受信装置の実施形態を示すフローチャート
【図６】本発明に係る移動体用放送受信装置の実施形態において、切り替え時期判定の第３の例の変形例を説明するためのタイムチャート
【図７】従来から採用されていたタイムシフト再生方法の一例を説明するためのタイムチャート
【符号の説明】
【００８０】
１  車載用デジタル放送受信装置
２  チューナ
５  ＣＰＵ
１７  ハードディスクドライブ
【図１】
2010068181.tif 000003
【図２】
2010068181.tif 000004
【図３】
2010068181.tif 000005
【図４】
2010068181.tif 000006
【図５】
2010068181.tif 000007
【図６】
2010068181.tif 000008
【図７】
2010068181.tif 000009